(57)【要約】【課題】  器具全体のコンパクト化、携帯性及び低コスト性の向上を図り、かつ取扱性及び耐久性を高めるとともに、多機能商品としての有効性及び汎用性、更には実用性及び利便性を高める。【解決手段】  一端にボンベ装着部３を設けたボディ部２と、このボディ部２の他端に設け、縦横の一方の寸法Ｌｈが他方の寸法Ｌｖに対して１０〔％〕以下の比率となる細長形状に形成した点火口４ｓを有する火口ヘッド部４と、この火口ヘッド部４の上方に配するトリベット部５と、ボディ部２の内部に設けることにより、ボンベ装着部３から火口ヘッド部４にガス燃料Ｇを流通させるガス流通路６と、ボディ部２に設けることにより、少なくとも、ガス流通路６に対して所定量の空気Ａを供給して混合させるバーナーモードＭＢ又はガス流通路６に対して供給する空気Ａを遮断するランタンモードＭＬに切換可能なモード切換機構７とを備える。【選択図】  図１
2018031505.tif 000002
【特許請求の範囲】
【請求項１】
ボンベ装着部に装着した着脱式のガスボンベから供給されるガス燃料を燃焼させることにより少なくとも異なる目的に使用する複数の機能を備える多目的ガス器具であって、一端に前記ボンベ装着部を設けたボディ部と、このボディ部の他端に設け、縦横の一方の寸法が他方の寸法に対して１０〔％〕以下の比率となる細長形状に形成した点火口を有する火口ヘッド部と、この火口ヘッド部の上方に配するトリベット部と、前記ボディ部の内部に設けることにより、前記ボンベ装着部から前記火口ヘッド部にガス燃料を流通させるガス流通路と、前記ボディ部に設けることにより、少なくとも、前記ガス流通路に対して所定量の空気を供給して混合させるバーナーモード又は前記ガス流通路に対して供給する空気を遮断するランタンモードに切換可能なモード切換機構とを備えてなることを特徴とする多目的ガス器具。
【請求項２】
前記モード切換機構は、前記ガス流通路に対して供給する空気の量を可変する空気量可変機能を備えることを特徴とする請求項１記載の多目的ガス器具。
【請求項３】
前記ボディ部は、前記ガス流通路を流通するガス燃料の流量を可変するガス量調整機構を備えることを特徴とする請求項１記載の多目的ガス器具。
【請求項４】
前記ボディ部は、少なくとも前記点火口の周りを囲む筒形状に形成したガラス製の点火口カバーを備えることを特徴とする請求項１記載の多目的ガス器具。
【発明の詳細な説明】
【技術分野】
【０００１】
本発明は、ガスボンベから供給されるガス燃料を燃焼させることにより少なくとも異なる目的に使用する複数の機能を備える多目的ガス器具に関する。
【背景技術】
【０００２】
一般に、キャンプ等のアウトドアでは電気を使用できないことも多いため、専ら携帯用のガス器具が用いられる。このため、従来より用途に応じた様々なガス器具も提案されており、例えば、特許文献１には携帯式ガスバーナが開示され、また、特許文献２には携帯用ランタンが開示されている。
【０００３】
この場合、特許文献１の携帯式ガスバーナは、液化石油ガスを貯蔵している携帯式容器の上壁に螺合固定するバルブブロックの上面から空燃混合管を上向きに連出し、この空燃混合管の上端部にバーナヘッドを配置するとともに、バーナヘッドを抱持する状態で五徳を配置し、バーナーヘッドを空燃混合管の上端部に連結した風防筒と、この風防筒の内部に配置した金属繊維製バーナエレメントとで形成するとともに、このバーナーエレメントが空燃混合管の混合気噴出口に対向する状態に配置するようにしたものである。また、特許文献２の携帯用ランタンは、ガスボンベに着脱可能に接続するボンベ装着部と、ガスボンベからの燃料ガスを燃焼するバーナーと、バーナーの外方を被うと共にバーナーの燃焼により白色発光するマントルとを具備する携帯用ランタンにおいて、バーナーを、同一孔径の多数の炎孔を有する円筒体にて形成し、円筒体内に、該円筒体におけるガスボンベ側と対向する側からガスボンベ側に向かって漸次縮径するガス流量調整部材を挿着したものである。
【０００４】
しかし、このような従来のガス器具は、単一の機能に留まるため、キャンプ等の実際のアウトドアでは、使用する目的毎に対応する異なるガス器具が必要になる。したがって、通常は、複数のガス器具を用意する必要があり、携帯面やコスト面で不利になる難点があった。
【０００５】
一方、この問題を解消するため、一台で複数の機能を備える多機能ガス器具も特許文献３により提案されている。この多機能ガス器具は、単一の器具に複数のヘッドを設け、使用しようとする機能に応じて各へッドヘのガスの供給を切替え、複数の機能に使用することを目的としたものであり、具体的には、基礎部材と、当該基礎部材に対して回動可能に支持されたケース部材と、放射状に配置されて基礎部材に固定された複数のガス燃焼部材と、基礎部材に設けられたガス受容部材と、ケース部材の基礎部材に対する回動によリガスの流路を切替えてガス燃焼部材のいずれか一にガスを供給する切替えバルブと、ケース部材に取付けられ、当該ケース部材の回動位置に応じていずれかのガス燃焼部材の背部に位置する皿状部材とより構成されたものである。
【先行技術文献】
【特許文献】
【０００６】
【特許文献１】特開平１１−２３０５１３号公報
【特許文献２】特開２００１−８４８０２号公報
【特許文献３】特開平１０−３０８２２号公報
【発明の概要】
【発明が解決しようとする課題】
【０００７】
しかし、上述した従来における多機能ガス器具（特許文献３）は、次のような問題点があった。
【０００８】
第一に、共有するのは脚部やガスボンベ程度となり、主要部品となるヘッド部分はそれぞれ別体に構成するとともに、それぞれを選択的に切換えて使用するため、切換えるための切換機構も新たに追加する必要がある。したがって、一台に複数の機能を兼用させる目的は達成できるとしても、部品点数を削減し、器具全体のコンパクト化を図ることにより、携帯性及び低コスト性を高める観点からは未だに不十分であり、更なる改善の余地があった。しかも、ガス燃料の供給系を切換えることから、切換機構も複雑化する傾向があり、返って、取扱性や耐久性などの面では不利になる難点もあった。
【０００９】
第二に、バーナー機能とヒーター機能を含む多機能化に留まるため、全体の利用価値を確保する観点からも不十分である。即ち、アウトドア、特に、キャンプ等は夏期間に行うため、ヒーター機能はほとんど使用する機会がなく、返って、邪魔となる余分なものが付加されているとも考えられる。結局、用途としては、標高の高い登山のキャンプに用いるなど、用途が限定的となり、多機能ガス器具としての有効性及び汎用性、更には実用性及び利便性を高める観点からも更なる改善の余地があった。
【００１０】
本発明は、このような背景技術に存在する課題を解決した多目的ガス器具の提供を目的とするものである。
【課題を解決するための手段】
【００１１】
本発明は、上述した課題を解決するため、ボンベ装着部に装着した着脱式のガスボンベＢから供給されるガス燃料Ｇを燃焼させることにより少なくとも異なる目的に使用する複数の機能を備える多目的ガス器具１を構成するに際して、一端にボンベ装着部３を設けたボディ部２と、このボディ部２の他端に設け、縦横の一方の寸法Ｌｈが他方の寸法Ｌｖに対して１０〔％〕以下の比率となる細長形状に形成した点火口４ｓを有する火口ヘッド部４と、この火口ヘッド部４の上方に配するトリベット部５と、ボディ部２の内部に設けることにより、ボンベ装着部３から火口ヘッド部４にガス燃料Ｇを流通させるガス流通路６と、ボディ部２に設けることにより、少なくとも、ガス流通路６に対して所定量の空気Ａを供給して混合させるバーナーモードＭＢ又はガス流通路６に対して供給する空気Ａを遮断するランタンモードＭＬに切換可能なモード切換機構７とを備えてなることを特徴とする。
【００１２】
この場合、発明の好適な態様により、モード切換機構７には、ガス流通路６に対して供給する空気Ａの量を可変する空気量可変機能Ｆａを設けることができる。また、ボディ部２には、ガス流通路６を流通するガス燃料Ｇの流量を可変するガス量調整機構１１を設けることができる。さらに、ボディ部２には、少なくとも点火口４ｓの周りを囲む筒形状に形成したガラス製の点火口カバー１２を設けることができる。
【発明の効果】
【００１３】
このような構成を有する本発明に係る多目的ガス器具１によれば、次のような顕著な効果を奏する。
【００１４】
（１）  一台に複数（二つ）の機能を設けるに際し、脚部やガスボンベに加え、主要部品となるヘッド部分も共有できるため、部品点数の大幅な削減を実現でき、器具全体のコンパクト化、更には、携帯性及び低コスト性の向上を図ることができる。しかも、各機能の切換は、空気路の開閉のみで行うことができるため、切換機構もシンプルに構成することができ、取扱性及び耐久性も高めることができる。
【００１５】
（２）  複数の機能として、バーナーモードＭＢとランタンモードＭＬを備えるため、例えば、夏期間に行うキャンプ等のアウトドアでは、いずれも必要性の高い機能となり、多目的ガス器具１としての全体の利用価値を高めることができる。この結果、多機能商品としての有効性及び汎用性、更には実用性及び利便性を大きく高めることができる。特に、ランタンモードＭＬでは、点火口４ｓの形状を工夫して光量を確保するようにしたため、装着しにくく壊れやすいとともに、ランニングコストが無視できないマントルを不要にすることができる。
【００１６】
（３）  好適な態様により、モード切換機構７に、ガス流通路６に対して供給する空気Ａの量を可変する空気量可変機能Ｆａを設ければ、バーナーモードＭＢ及びランタンモードＭＬのいずれにおいても、ガス燃料Ｇと空気Ａの混合比を可変調整できるため、使用環境や好み等に応じた微調整（最適化）を行うことができるとともに、特に、バーナーモードＭＢにおける煤の発生を防止することができる。
【００１７】
（４）  好適な態様により、ボディ部２に、ガス流通路６を流通するガス燃料Ｇの流量を可変するガス量調整機構１１を設ければ、従来と同様に、ガス燃料Ｇの流量を可変できるため、バーナーモードＭＢでは火力（熱量）の調整を行うことができるとともに、ランタンモードＭＬでは明るさの調整を行うことができるなど、双方のモードＭＢ，ＭＬに有効に兼用できる。
【００１８】
（５）  好適な態様により、ボディ部２に、少なくとも点火口４ｓの周りを囲む筒形状に形成したガラス製の点火口カバー１２を設ければ、透明な囲いとして機能させることができるため、バーナーモードＭＢ及びランタンモードＭＬの双方における風除けカバーや保護カバーとして有効に兼用できる。
【図面の簡単な説明】
【００１９】
【図１】本発明の好適実施形態に係る多目的ガス器具の外観正面図、
【図２】同多目的ガス器具の外観平面図、
【図３】同多目的ガス器具に備える火口ヘッド部の縦断面図（ａ）及び横切断面図（ｂ）（ｃ）、
【図４】同火口ヘッド部の外観斜視図、
【図５】同火口ヘッド部の変更例を示す外観平面図、
【図６】同多目的ガス器具のバーナーモードにおけるボディ部の内部を示す一部断面正面図、
【図７】同多目的ガス器具のランタンモードにおけるボディ部の内部を示す一部断面正面図、
【図８】同多目的ガス器具におけるバーナーモードの使用説明図、
【図９】同多目的ガス器具におけるランタンモードの使用説明図、
【発明を実施するための形態】
【００２０】
次に、本発明に係る好適実施形態を挙げ、図面に基づき詳細に説明する。
【００２１】
まず、本実施形態に係る多目的ガス器具１の構成について、図１〜図７を参照して具体的に説明する。
【００２２】
本実施形態に係る多目的ガス器具１の全体構成を図１及び図２に示す。多目的ガス器具１は、金属等の耐熱性素材により一体に形成した円筒ブロック状のボディ部２を備え、このボディ部２の下端（一端）にボンベ装着部３を設ける。したがって、このボンベ装着部３に、別体のガスボンベＢの接続口を螺合式に着脱できる。なお、ガスボンベＢは、内部に液化石油ガス等のガス燃料Ｇを収容したものであり、使用時には図１に示すように、ボンベ装着部３に装着し、ボディ部２内におけるガス流通路６にガス燃料Ｇを供給することができるとともに、非使用時には、ボンベ装着部３から離脱させることができる。
【００２３】
そして、ボディ部２の上端（他端）には火口ヘッド部４を設ける。この火口ヘッド部４は、金属等の耐熱性素材により形成し、図４（図３）に示すように、軸芯を上下方向に配した円筒体の上半部を押し潰した全体形状を有する。これにより、火口ヘッド部４の上端に、ガス燃料Ｇを燃焼させる点火口４ｓが形成される。この点火口４ｓは、図３（ｂ）に示すように、縦横の一方の寸法Ｌｈが他方の寸法Ｌｖに対して１０〔％〕以下、望ましくは１〜５〔％〕の比率となる細長形状に形成する。点火口４ｓをこのような形状（条件）にすることにより、ランタンモードＭＬとして使用する際の光量を確保できる。したがって、ランタンに対して従来から一般的に使用していた、装着しにくく壊れやすいとともに、ランニングコストが無視できないマントルを不要にすることができる。
【００２４】
この場合、細長形状とは、図４に示すように、単純な一本のスリット形状に形成するのみならず、図５に示すように、二本のスリット形状をクロスさせた＋形状に形成したり、或いは複数本のスリット形状を任意に組合わせるなど、上記寸法比率を満たす各種形状が含まれるとともに、このようなスリット形状は、直線形状であるか湾曲形状であるかは問わない。また、火口ヘッド部４の下半部は、ボディ部２の上端に取付ける取付部４ｃとして形成する。このため、円筒状となる取付部４ｃの内周面には雌ネジ部２１を形成する。この雌ネジ部２１は、図６に示すように、ボディ部２の上端に形成した円筒状の雄ネジ部２２に螺着することができる。
【００２５】
一方、ボディ部２の内部中心位置には、図６に示すように、軸方向（上下方向）Ｄｓに沿って貫通するガス流通路６を設ける。このガス流通路６の下部は小径通路６ｄとなり、上部は大径通路６ｕとなる。これにより、ボンベ装着部３から火口ヘッド部４にガス燃料Ｇを流通させるガス流通路６が形成される。
【００２６】
また、ボディ部２の軸方向Ｄｓ中間位置には、バーナーモードＭＢ又はランタンモードＭＬに切換可能なモード切換機構７を設ける。この場合、図１及び図２に示すように、ボディ部２の側面に、水平方向に突出し、かつ内部に空気通路２７ｓを有する筒形の空気導入部２７を一体形成するとともに、図６及び図７に示すように、この空気導入部２７の中間位置に、この空気通路２７ｓに対して直角方向の回動軸を有するコック部２８を内蔵させる。このコック部２８には、当該回動軸に対して直角方向（径方向）となる開閉通路２８ｓを形成するとともに、このコック部２８にはボディ部２の外部に突出させたＬ形の操作レバー２９を一体に設ける。
【００２７】
これにより、操作レバー２９を回し操作し、図７に示すように、開閉通路２８ｓを、空気通路２７ｓに対して直角に位置させれば、空気通路２７ｓを全閉状態にすることができるとともに、操作レバー２９を、この位置から９０〔°〕回し操作し、図６に示すように、開閉通路２８ｓを、空気通路２７ｓに対して同軸上に位置させれば、空気通路２７ｓを全開状態にすることができる。即ち、少なくとも、ガス流通路６に対して所定量の空気Ａを供給して混合させる図６に示すバーナーモードＭＢ、又はガス流通路６に対して供給する空気Ａを遮断する図７に示すランタンモードＭＬに切換可能となるモード切換機構７が構成される。
【００２８】
このモード切換機構７は、空気量可変機能Ｆａを兼用している。即ち、操作レバー２９の回し位置を、全閉状態と全開状態間における任意の中間位置にセットすれば、空気通路２７ｓの有効断面積の大きさは、この中間位置に対応した大きさとなり、ガス流通路６に対して供給する空気Ａの量を可変することができる。このような空気量可変機能Ｆａを設ければ、バーナーモードＭＢ及びランタンモードＭＬのいずれにおいても、ガス燃料Ｇと空気Ａの混合比を可変調整できるため、使用環境や好み等に応じた微調整（最適化）を行うことができる利点がある。
【００２９】
さらに、モード切換機構７の上流側に位置するボディ部２には、ガス量調整機構１１を設ける。ガス量調整機構１１は、小径通路６ｄの開度を可変、即ち、全閉状態から全開状態までの開度を任意に可変調整できる機能を有する。例示するガス量調整機構１１は、小径通路６ｄに対して直交方向に変位可能な弁体棒２３，この弁体棒２３に一体に設けた螺合シャフト２４及びこの螺合シャフト２４に一体に設けた操作ツマミ２５により構成したものである。これにより、操作ツマミ２５を正方向又は逆方向に回し操作すれば、螺合シャフト２４を進退変位させることができるため、弁体棒２３も小径通路６ｄに対して直交方向に進退変位する。この結果、弁体棒２３が最前進位置に変位すれば、小径通路６ｄが全閉状態となり、弁体棒２３が最後退位置に変位すれば、小径通路６ｄが全開状態となり、更に、弁体棒２３の最前進位置と最後退位置の間ではガス燃料Ｇの流量が変化するガス量調整機構１１が構成される。
【００３０】
このようなガス量調整機構１１を設ければ、従来と同様に、ガス燃料Ｇの流量を可変できるため、バーナーモードＭＢでは火力（熱量）の調整を行うことができるとともに、ランタンモードＭＬでは明るさの調整を行うことができるなど、双方のモードＭＢ，ＭＬに有効に兼用できる利点がある。
【００３１】
なお、空気量可変機能Ｆａを有するモード切換機構７とガス量調整機構１１は、基本的には、同じ機能を有するため、ガス量調整機構１１の構造を、モード切換機構７の構造に適用してもよいし、モード切換機構７の構造を、ガス量調整機構１１の構造に適用してもよい。或いは同じ機能を発揮する他の構造を適用することも可能である。
【００３２】
他方、ボディ部２には、少なくとも点火口４ｓの周りを囲む筒形状に形成したガラス製の点火口カバー１２を設ける。例示の場合、周方向に等間隔に配した四本のステーを組合わせた支持部材３１を用意し、この支持部材３１の上端により点火口カバー１２の下端を支持するとともに、この支持部材３１の下端をボディ部２の下端に固定した。これにより、点火口カバー１２はこの支持部材３１により所定の高さに支持される。したがって、このような点火口カバー１２を設ければ、透明な囲いとして機能させることができるため、バーナーモードＭＢ及びランタンモードＭＬの双方における風除けカバーや保護カバーとして有効に兼用できる利点がある。
【００３３】
また、火口ヘッド部４の上方にはトリベット部５を配する。例示の場合、ガスボンベＢの下端部に嵌合する円筒装着部４１を備え、この円筒装着部４１によりガスボンベＢの下端部を保持するとともに、この円筒装着部４１の周方向に等間隔置きに配した四つのパイプ形の支持部４２…によりトリベット部５を支持する。即ち、例示のトリベット部５は、四本のトリベットメンバ５ｍ…を備え、各トリベットメンバ５ｍ…の下端を、支持部４２…に設けた支持孔に差し込みことにより、上端に鍋等を載置可能なトリベット部５を構成する。この際、各トリベットメンバ５ｍ…には、ストッパ５ｍｓ…を一体に設け、このストッパ５ｍｓ…を支持部４２…に係止させることにより、トリベットメンバ５ｍ…の下方への変位規制機能と回動方向への回り止め機能を持たせている。したがって、トリベット部５は、円筒装着部４１に対して着脱可能となる。
【００３４】
なお、４５…は、円筒装着部４１の底部下面に、周方向に沿って等間隔置きに取付けた四つの脚部であり、各脚部４５…は、一端が略１８０〔°〕回動変位可能となる。これにより、脚部４５…は、折畳可能となり、図１及び図２に示すように先端を外方に向けて広げた使用位置にセットできるとともに、先端を内方に折り畳んだ格納位置に切換えることができる。
【００３５】
以上の構成により、ボンベ装着部３に装着した着脱式のガスボンベＢから供給されるガス燃料Ｇを燃焼させることにより、少なくとも異なる目的に使用する複数、即ち、二つのの機能（バーナーモードＭＢ，ランタンモードＭＬ）を備える多目的ガス器具１が構成される。
【００３６】
次に、本実施形態に係る多目的ガス器具１の機能及び使用方法について、図１〜図９を参照して説明する。
【００３７】
多目的ガス器具１を使用する際には、図１及び図２に示すように、ボディ部２におけるボンベ装着部３に、別途用意したガスボンベＢを装着する。この際、モード切換機構７とガス量調整機構１１はいずれも全閉状態にセットしておく。また、別途用意した円筒装着部４１をガスボンベＢの下端に装着するとともに、円筒装着部４１における四本の脚部４５…を外方に広げた使用位置にセットする。以上により、使用に際しての基本的なセッティングを終了する。なお、使用しないときは、これらの反対の手順に従って各部を分離（分解）することができる。
【００３８】
本実施形態に係る多目的ガス器具１は、ガス流通路６に対して所定量の空気Ａを供給して混合させるバーナーモードＭＢ又はガス流通路６に対して供給する空気Ａを遮断するランタンモードＭＬに切換えて使用することができる。
【００３９】
まず、バーナーモードＭＢでの使用方法について説明する。バーナーモードＭＢでは、四本のトリベットメンバ５ｍ…を用意し、各トリベットメンバ５ｍ…の下端を、支持部４２…に設けた支持孔に差し込みことにより、トリベット部５を使用できるようにする。これにより、図８に示すように、トリベット部５の上端には鍋Ｗ等を載置し、バーナー（ガスコンロ）としての使用が可能になる。
【００４０】
そして、使用する際には、ガス量調整機構１１における操作ツマミ２５を回し操作し、ガス流通路６（小径通路６ｄ）を全閉位置から徐々に開くとともに、着火器具等を用いて点火口４ｓに点火する。また、モード切換機構７における操作レバー２９を回し操作することにより、図６に示す上方へ起立した位置に切換える。これにより、空気導入部２７の空気通路２７ｓに対して、コック部２８の開閉通路２８ｓが同軸上に位置して全開状態となる。この結果、ボディ部２における上部の大径通路６ｕは、空気通路２７ｓ及び開閉通路２８ｓを介して大気に連通し、空気Ａが空気通路２７ｓ及び開閉通路２８ｓを介して大径通路６ｕに供給され、ガス燃料Ｇに混合する。
【００４１】
これにより、図８に示すように、燃焼時の炎ＦＢは、空気Ａが適度に混合することにより、燃焼力が高まり、バーナーに適した燃焼状態となる。なお、この場合、炎ＦＢの色は青みがかった色となる。この際、ガス量調整機構１１における操作ツマミ２５を回し操作して、火力の調整を行うことができるとともに、炎ＦＢの色等を観察しながらモード切換機構７における操作レバー２９を回し操作し、ガス流通路６に対して供給する空気Ａの量を可変することにより、空気Ａの量を最適な量に調整できる。特に、この調整により、煤の発生を防止することが望ましい。
【００４２】
次に、ランタンモードＭＬでの使用方法について説明する。ランタンモードＭＬでは、トリベット部５を使用しないため、四本のトリベットメンバ５ｍ…は支持部４２…から取り外す。これにより、図９に示すように、ランタンとしての使用が可能になる。また、モード切換機構７における操作レバー２９を回し操作し、図７に示す横方へ倒した位置に切換える。これにより、空気導入部２７の空気通路２７ｓに対して、コック部２８の開閉通路２８ｓが直角に位置し、コック部２８は全閉位置にセットされる。
【００４３】
そして、使用する際には、ガス量調整機構１１における操作ツマミ２５を回し操作し、ガス流通路６（小径通路６ｄ）を全閉状態から徐々に開くとともに、着火器具等を用いて点火口４ｓに点火する。これにより、図９に示すように、点火口４ｓには、空気Ａの混合しないガス燃料Ｇが燃焼する炎ＦＬが発生するとともに、この炎ＦＬは点火口４ｓの形状により横方向に細長くなる。この場合、炎ＦＬの色は、バーナーモードＭＢ時よりも明るい黄色味の入った色になるとともに、横方向に細長くなることにより、炎ＦＬの全体の表面積が大きくなり、ランタンに適した燃焼状態となる。この際、ガス量調整機構１１における操作ツマミ２５を回し操作したり、或いはモード切換機構７における操作レバー２９を回し操作（微調整）することにより、炎ＦＬの色や明るさを調整できる。
【００４４】
よって、このような本実施形態に係る多目的ガス器具１によれば、基本的構成として、一端にボンベ装着部３を設けたボディ部２と、このボディ部２の他端に設け、縦横の一方の寸法Ｌｈが他方の寸法Ｌｖに対して１０〔％〕以下の比率となる細長形状に形成した点火口４ｓを有する火口ヘッド部４と、この火口ヘッド部４の上方に配するトリベット部５と、ボディ部２の内部に設けることにより、ボンベ装着部３から火口ヘッド部４にガス燃料Ｇを流通させるガス流通路６と、ボディ部２に設けることにより、少なくとも、ガス流通路６に対して所定量の空気Ａを供給して混合させるバーナーモードＭＢ又はガス流通路６に対して供給する空気Ａを遮断するランタンモードＭＬに切換可能なモード切換機構７とを備えてなるため、一台に複数（二つ）の機能を設ける場合であっても、脚部やガスボンベに加え、主要部品となるヘッド部分も共有可能となる。この結果、部品点数の大幅な削減を実現でき、器具全体のコンパクト化、更には、携帯性及び低コスト性の向上を図ることができる。しかも、各機能の切換は、空気路の開閉のみで行うことができるため、切換機構もシンプルに構成することができ、取扱性及び耐久性も高めることができる。
【００４５】
また、複数の機能として、バーナーモードＭＢとランタンモードＭＬを備えるため、例えば、夏期間に行うキャンプ等のアウトドアでは、いずれも必要性の高い機能となり、多目的ガス器具１としての全体の利用価値を高めることができる。この結果、多機能商品としての有効性及び汎用性、更には実用性及び利便性を大きく高めることができる。特に、ランタンモードＭＬでは、点火口４ｓの形状を工夫して光量を確保するようにしたため、装着しにくく壊れやすいとともに、ランニングコストが無視できないマントルを不要にすることができる。
【００４６】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、ボンベ装着部３として螺合式に着脱する形式を示したが、同様の機能を有する他の形式により構成してもよい。また、トリベット部５は、ガスボンベＢに対して固定した場合を例示したが、ボディ部２に固定してもよいし、或いは別途のスタンド等を用いて自立する独立した付属具として構成してもよい。さらに、バーナーモードＭＢ又はランタンモードＭＬに切換える場合を示したが、反射板を付設するなどにより、加熱器として使用できるヒータモードを設けてもよい。なお、空気量可変機能Ｆａ及び点火口カバー１２は、任意に設ければ足り、必ずしも必須の構成要素となるものではない。
【産業上の利用可能性】
【００４７】
本発明は、少なくとも、バーナー，ランタンなど、異なる目的に使用する複数の機能を有するキャンプ等のアウトドアにおける多目的ガス器具として利用できる。
【符号の説明】
【００４８】
１：多目的ガス器具，２：ボディ部，Ｂ：ガスボンベ，Ｇ：ガス燃料，３：ボンベ装着部，Ｌｈ：縦横の一方の寸法，Ｌｖ：縦横の他方の寸法，４ｓ：点火口，４：火口ヘッド部，５：トリベット部，６：ガス流通路，Ａ：空気，ＭＢ：バーナーモード，ＭＬ：ランタンモード，７：モード切換機構，Ｆａ：空気量可変機能，１１：ガス量調整機構，１２：点火口カバー
【図１】
2018031505.tif 000003
【図２】
2018031505.tif 000004
【図３】
2018031505.tif 000005
【図４】
2018031505.tif 000006
【図５】
2018031505.tif 000007
【図６】
2018031505.tif 000008
【図７】
2018031505.tif 000009
【図８】
2018031505.tif 000010
【図９】
2018031505.tif 000011